【手続補正書】
【提出日】平成19年2月19日(2007.2.19)
【手続補正１】
【補正対象書類名】明細書
【補正対象項目名】特許請求の範囲
【補正方法】変更
【補正の内容】
【特許請求の範囲】
【請求項１】  中実領域；及び
中実領域に隣接する多孔領域
を含んでなるダイプレートであって、前記多孔領域が、前記中実領域で互いに分離された複数の多孔部分を含み；その多孔部分のそれぞれが第１の距離で互いに隔てられた、ダイプレートを貫通する孔の主要領域を含み、そして前記多孔領域が、前記主要領域を囲み且つ前記主要領域を前記中実領域から分離し、且つ第１の領域を中実領域から隔て且つ第１の距離よりも大きい第２の距離で互いに隔てられた、ダイプレートを貫通する孔を有する移行領域を含むダイプレート。
【請求項２】  前記主要領域中の孔と前記移行領域中の孔の直径がほぼ等しい請求項１に記載のダイプレート。
【請求項３】  前記第１の距離が全て互いにほぼ等しく且つ前記第２の距離が全て互いにほぼ等しい請求項２に記載のダイプレート。
【請求項４】  前記主要領域中の孔及び前記移行領域中の孔の直径が約０．０２７インチである請求項３に記載のダイプレート。
【請求項５】  前記第１の距離が約０．０４インチであり、且つ前記第２の距離が約０．０６インチである請求項４に記載のダイプレート。
【請求項６】  前記ダイプレートの厚さが約０．０４インチである請求項５に記載のダイプレート。
【請求項７】  前記移行領域中の孔が前記主要領域の外周を少なくとも３列で囲んで配置された請求項６に記載のダイプレート。
【請求項８】  中実支持部；及び
粘稠材料を通すための孔が貫通している多孔押出部
を含んでなるダイプレートであって、前記多孔部が、中実支持部によって互いに分離された複数のより小さい多孔押出サブセクションを含み、そしてそれぞれのサブセクションが第１の距離で互いに隔てられた孔を含む主要領域を有し、かつその主要領域を囲み、そして主要領域の孔と中実支持部を分離する孔の移行領域を有し、前記孔が第１の距離よりも大きい第２の距離で互いに隔てられているダイプレート。
【請求項９】  前記第１の距離が全て互いにほぼ等しく且つ前記第２の距離が全て互いにほぼ等しい請求項８に記載のダイプレート。
【請求項１０】  前記ダイプレートを貫通する孔が全てほぼ同じ内径を有する請求項９に記載のダイプレート。
【請求項１１】  前記ダイプレートを貫通する孔の直径が約０．０２７インチである請求項１０に記載のダイプレート。
【請求項１２】  前記第１の距離が約０．０４インチであり、且つ前記第２の距離が約０．０６インチである請求項１１に記載のダイプレート。
【請求項１３】  前記移行領域の孔が前記主要領域の外周を少なくとも３列で囲んで配置された請求項１２に記載のダイプレート。
【請求項１４】  前記ダイプレートの厚さが約０．０４インチである請求項１３に記載のダイプレート。
【請求項１５】  複数の多孔部
を含んでなるダイプレートであって、該多孔部が中実部によって隔てられ、該多孔部がそれぞれ、多孔部の全周を囲む移行部分を有し、移行部分に、多孔部の中央部分の孔同士の距離よりも大きい距離で互いに隔てられた孔が貫通しているダイプレート。
【請求項１６】  前記移行部分に、多孔部の中央部分の孔と実質的に同じ直径を有する孔が貫通している請求項１５に記載のダイプレート。
【請求項１７】  前記中実部が中実中央ハブ部を有し、中実中央ハブ部が、半径方向に伸張した中実スポーク部に接続され、半径方向に伸張した中実スポーク部が外側の中実リム部に接続され、多孔部が中央ハブ部、半径方向に伸張した中実スポーク部及び外側の中実リム部の間に配置されている請求項１６に記載のダイプレート。
【請求項１８】  前記移行部分の孔が、芯−芯で互いに約０．０６インチ隔てられた請求項１７に記載のダイプレート。
【請求項１９】  前記中央部分の孔が、芯−芯で互いに約０．０４インチ隔てられた請求項１８に記載のダイプレート。
【手続補正２】
【補正対象書類名】明細書
【補正対象項目名】００２１
【補正方法】変更
【補正の内容】
【００２１】
本発明による長寿命化ダイプレートの形状には種々の変更及び変化が可能なことを理解されたい。ダイプレートの前後の圧力落差に影響を及ぼすようにダイプレートの厚さを変化させることができる。ダイプレートの前後の全圧力落差を同一に保ちながら、より粘稠でない材料を用いる場合には、より厚いダイプレートを使用できるであろう。ダイプレートを貫通する孔の形状は丸、正方形、不等辺四角形、多角形、卵形、または任意の他の望ましい形状であることができるが、結果として、ダイプレートから押出される材料のストランドの形状は変化するであろう。ダイプレートの中実支持部に隣接する移行領域の孔同士が、移行領域によって中実支持部から隔てられた多孔領域の主要部分の孔同士よりもさらに離れた距離間隔で配置されさえすれば、ダイプレートを貫通する孔同士の距離間隔は変化可能である。ダイプレートの中実支持部は、種々の押出装置に合うように変化させることができる。支持部の中央ハブ、半径方向に伸張するスポーク及び外側リムの形状を示してあるが、中実支持部の他の形状は種々のグリッド・パターン、または中央中実支持部を含まないただの単純な正方形または円形であることさえできるであろう。
以下に本発明の態様を記載する。
１．中実領域；及び
中実領域に隣接する多孔領域
を含んでなるダイプレートであって、前記多孔領域が、第１の距離で互いに隔てられた、ダイプレートを貫通する孔を含む第１の領域及び第１の領域を中実領域から隔て且つ第１の距離よりも広い第２の距離で互いに隔てられた、ダイプレートを貫通する孔を有する移行領域
を含んでなるダイプレート。
２．前記第１の領域中の孔と前記移行領域中の孔の直径がほぼ等しい態様１に記載のダイプレート。
３．前記第１の距離が全て互いにほぼ等しく且つ前記第２の距離が全て互いにほぼ等しい態様２に記載のダイプレート。
４．前記第１の領域中の孔及び前記移行領域中の孔の直径が約０．０２７インチである態様３に記載のダイプレート。
５．前記第１の距離が約０．０４インチであり、且つ前記第２の距離が約０．０６インチである態様４に記載のダイプレート。
６．前記ダイプレートの厚さが約０．０４インチである態様５に記載のダイプレート。
７．前記移行領域中の孔が前記第１の領域の外周を少なくとも３列で囲んで配置された態様６に記載のダイプレート。
８．前記多孔領域が、前記中実領域によって互いに隔てられた複数の多孔部を含む態様1に記載のダイプレート。
９．前記多孔部が各々、第３の距離で互いに隔てられた、ダイプレートを貫通する孔を含む第３の領域、及び前記第３の領域の孔を取り囲み且つ前記中実領域から第３の領域の孔を隔てる、ダイプレートを貫通する孔を含む第４の領域を含む態様８に記載のダイプレート。
１０．前記第４の領域の孔が、前記第３の距離よりも大きい第４の距離で互いに隔てられている態様９に記載のダイプレート。
１１．前記第３の距離が約０．０４インチであり、且つ前記第４の距離が約０．０６インチである態様１０に記載のダイプレート。
１２．中実支持部；及び
粘稠材料を通すための孔が貫通している多孔押出部
を含んでなるダイプレートであって、多孔部が、中実支持部に接続され、且つ第１の距離で互いに隔てられた孔を含む第１の領域及び第１の領域の孔と中実支持部との間に第２の領域の孔を有し、第２の領域の孔が第１の距離よりも大きい第２の距離で互いに隔てられているダイプレート。
１３．前記中実支持部が、前記多孔押出部を複数のより小さい多孔押出部に分かれ、より小さい多孔押出部がそれぞれ、第１の距離で互いに隔てられた、前記ダイプレートを貫通する孔を含む主要部分及び第２の距離で互いに隔てられた、ダイプレートを貫通する孔を含む移行部分を有し、移行部分が主要部分を取り囲み且つ主要部分を中実支持部から隔てる態様１２に記載のダイプレート。
１４．前記第１の距離が全て互いにほぼ等しく且つ前記第２の距離が全て互いにほぼ等しい態様１３に記載のダイプレート。
１５．前記ダイプレートを貫通する孔が全てほぼ同じ内径を有する態様１４に記載のダイプレート。
１６．前記ダイプレートを貫通する孔の直径が約０．０２７インチである態様１５に記載のダイプレート。
１７．前記第１の距離が約０．０２７インチであり、且つ前記第２の距離が約０．０４インチである態様１６に記載のダイプレート。
１８．前記移行部分の孔が前記主要部分の外周を少なくとも３列で囲んで配置された態様１７に記載のダイプレート。
１９．前記ダイプレートの厚さが約０．０４インチである態様１８に記載のダイプレート。
２０．複数の多孔部
を含んでなるダイプレートであって、該多孔部が中実部によって隔てられ、該多孔部がそれぞれ、多孔部の全周を囲む移行部分を有し、移行部分に、多孔部の中央部分の孔同士の距離よりも大きい距離で互いに隔てられた孔が貫通しているダイプレート。
２１．前記移行部分に、多孔部の中央部分の孔と実質的に同じ直径を有する孔が貫通している態様２０に記載のダイプレート。
２２．前記中実部が中実中央ハブ部を有し、中実中央ハブ部が、半径方向に伸張した中実スポーク部に接続され、半径方向に伸張した中実スポーク部が外側の中実リム部に接続され、多孔部が中央ハブ部、半径方向に伸張した中実スポーク部及び外側の中実リム部の間に配置されている態様２１に記載のダイプレート。
２３．前記移行部分の孔が、芯−芯で互いに約０．０６インチ隔てられた態様２２に記載のダイプレート。
２４．前記中央部分の孔が、芯−芯で互いに約０．０４インチ隔てられた態様２３に記載のダイプレート。